(57)【要約】【課題】簡単な構成で吸込み口本体に吸込みノズルを着脱できるとともに、この着脱の際に足で踏まれて操作される恐れがないようにした吸込み口体を提供する。【解決手段】筒状の連結部４１及びこの連結部の軸線Ｑ回りに回動自在な接続管を有した吸込みノズル１２を、吸込み口本体１１のノズルセット部２６に着脱自在に装着する着脱手段１３を備える。着脱手段１３は、吸込み口本体１１に設けられたストッパ保持孔６１，６２と、このストッパ保持孔６１，６２に手動操作で挿脱されるとともに挿着状態でノズルセット部２６に対する吸込みノズル１２の外れ止めをするストッパ７１とを備える。【選択図】      図６
2005348940.tif 000002
【特許請求の範囲】
【請求項１】
上方に開放するノズルセット部、及び下面に開放する吸込み口を有した吸込み口本体と、
前後方向に延びる軸線を有する筒状の連結部及び前記軸線回りに回動自在な接続管を有して、前記連結部が前記ノズルセット部に着脱自在に装着されるとともにこの装着状態で前記吸込み口と連通する吸込みノズルと、
前記吸込み口本体に設けられたストッパ保持孔、及びこのストッパ保持孔に手動操作で挿脱されるとともに挿着状態で前記ノズルセット部に対する前記吸込みノズルの外れ止めをするストッパを備えて、前記連結部を前記ノズルセット部に着脱自在に装着する着脱手段と、
を具備した吸込み口体。
【請求項２】
前記吸込み口に臨む回転自在な回転清掃体とこの回転清掃体を駆動する電動機とを前記吸込み口本体に内蔵し、前記接続管が前記連結部の内側に配置された回動管部を有し、この回動管部の外周に前記電動機に対する通電用のスリップリングを装着し、前記ノズルセット部への前記吸込みノズルの着脱に伴って前記スリップリングに接離する摺動端子を前記ストッパに取付けた請求項１に記載の吸込み口体。
【請求項３】
前記スリップリングを露出させる第１位置と前記スリップリングを覆う第２位置とにわたって前記連結部をその軸線方向に沿って前記回動管部に対して移動可能に設けるとともに、これら連結部と回動管部との間に前記連結部を前記第２位置に向けて付勢する付勢体を設けた請求項２に記載の吸込み口体。
【請求項４】
前記吸込みノズルが前記ノズルセット部に装着された状態で、前記摺動端子が接触した前記スリップリングが、前記ストッパで覆われるようにした請求項２又は３に記載の吸込み口体。
【請求項５】
前記電動機と導通する固定端子を前記ノズルセット部に配置し、
前記ノズルセット部への前記吸込みノズルの着脱に伴って前記固定端子に接離する可動端子を前記ストッパに設け、
前記固定端子を覆うカバー位置と前記固定端子を露出させて前記可動端子との接続を可能とする退避位置とにわたって移動可能であって前記ストッパの挿着によって前記退避位置に移動される端子カバーを前記ノズルセット部に設け、
前記端子カバーを前記退避位置に向けて付勢するカバー付勢体を前記ノズルセット部に設けた請求項２から４のうちのいずれか１項に記載の吸込み口体。
【請求項６】
前記吸込みノズルが前記吸込み口本体に装着された状態で先端側に位置する前記連結部の端部に、清掃部材を突設した請求項１から５うちのいずれか１項に記載の吸込み口体。
【請求項７】
掃除機本体内の電動送風機の動作により、前記電動送風機の上流側に設けられた集塵部に連通された吸込み口体から被掃除面の塵を空気とともに吸込んで、吸込んだ塵を前記集塵部に集塵する電気掃除機において、前記吸込み口体に請求項１から６のうちのいずれか１項に記載の吸込み口体を用いた電気掃除機。
【発明の詳細な説明】
【技術分野】
【０００１】
本発明は、吸込み口を有した吸込み口本体に吸込みノズルが着脱自在に装着された吸込み口体及びこれを用いた電気掃除機に関する。
【背景技術】
【０００２】
従来、吸込み口を有した吸込み口本体に吸込みノズルを着脱自在に設けて、広い場所などを掃除する場合には吸込みノズルを吸込み口本体に装着して使用し、吸込みノズルより狭い場所などを掃除する場合には吸込み口本体から離脱させた吸込みノズルを使用するようにした吸込み口体が知られている（例えば、特許文献１，２参照。）。
【０００３】
特許文献１で、吸込み口本体に吸込みノズルを着脱する着脱手段は、吸込み口本体の側面から外に突出する端部を足ふみ式の操作部としたレバーと、このレバーの他端部に枢支された支持体と、吸込み口本体に設けたノズルセット部に配置されて支持体によって上下動されるノズル保持手段と形成されている。ノズル保持手段は、略半割状に形成されていて、その両端部分が外方に広がる付勢力を有したばね材からなる。
【０００４】
この着脱手段では、ノズル保持手段の付勢力で、ノズルセット部に収容された吸込みノズルを下方からノズル保持手段で抱持することにより、吸込みノズルを吸込み口本体に装着できる。又、操作部を足で踏み付けて、ノズル保持手段を押し上げ前記抱持を解除するように開かせることにより、吸込み口本体から吸込みノズルを離脱できる。なお、吸込み口本体から離脱された吸込みノズルは、接続部が上下動自在に接続された連結部に対するノズル部の回動をロックする構成としてある。
【０００５】
特許文献２で、吸入管、連結管、及び結合管からなる吸込みノズルを、吸入ケース（吸込み口本体）に着脱する着脱手段は、吸入ケースの吸入部（ノズルセット部）の側方に突出されて回動軸を支点として回動可能なレバー状の押圧部と、この押圧部とともに回動する係止部材とを有して、これらをトーションスプリングで付勢して形成されている。
【０００６】
係止部材は、押圧部を押圧することに伴って吸入部に挿入された結合管の締結孔に係脱できるので、この係脱によって、吸入ケースの吸入部に対して吸込みノズルの結合管を着脱できる。
【０００７】
又、特許文献２には他の着脱手段として、吸入ケースの上面に突出する押圧部材をばねで上向きに付勢し、傾斜面を有した係止部材を吸入ケースの吸入部内に出没するように設けるとともに、この係止部材をばねで付勢し、かつ、押圧部材と一体の解除部材を係止部材の傾斜面に係合させた構成も記載されている。
【０００８】
この着脱手段では、押圧部材の押込みに伴い、解除部材によって係止部材を後退させて、吸入ケースの吸入部から吸込みノズルの結合部を離脱させることができる。又、吸入部に結合部を挿入した後に、押圧部材の押込みを解放することにより、係止部材を前進させて結合部の締結孔に係合させて吸入ケースの吸入部に吸込みノズルの結合管を装着できる。
【特許文献１】特開2003−339587号公報（段落0017−0018、0022、図１、図３−図８）
【特許文献２】特開2001−314358号公報（段落0026−0033、及び図１−図６、段落0036−0040、図７−図９）
【発明の開示】
【発明が解決しようとする課題】
【０００９】
従来は、吸込み口本体にこれより小型な吸込みノズルを着脱するための着脱手段が、レバーなどの複数の可動部材、及びこれら可動部材を元の状態に戻したり、吸込み口本体に対する吸込みノズルの装着状態を保持するためのばね部品を必要としている。このため、着脱手段を構成する部品点数が多く、構成を及び組立が複雑で、コスト高である。
【００１０】
しかも、着脱手段の操作部が吸込み口本体の側方に突出している構成では、足で踏んで操作されることがあるため、その際に誤って吸込み口本体等が足で踏まれる恐れがある。これに対処するためには、吸込み口本体等の強度を強くしなければならないので、そのための工夫によってコスト高となる。
【００１１】
本発明の目的は、簡単な構成で吸込み口本体に吸込みノズルを着脱できるとともに、この着脱の際に足で踏まれて操作される恐れがないようにした吸込み口体及びこれを備えた電気掃除機を提供することにある。
【課題を解決するための手段】
【００１２】
前記課題を解決するために本発明は、筒状の連結部及びこの連結部の軸線回りに回動自在な接続管を有した吸込みノズルを、吸込み口本体のノズルセット部に着脱自在に装着する着脱手段が、吸込み口本体に設けられたストッパ保持孔と、このストッパ保持孔に手動操作で挿脱されるとともに挿着状態でノズルセット部に対する吸込みノズルの外れ止めをするストッパとを備えている。
【発明の効果】
【００１３】
本発明によれば、簡単な構成で吸込み口本体に吸込みノズルを着脱できるとともに、この着脱の際に足で踏まれて操作される恐れがないようにした吸込み口体及びこれを備えた電気掃除機を提供できる。
【発明を実施するための最良の形態】
【００１４】
図面を参照して本発明の一実施形態を説明する。
【００１５】
図１中符号１で示す電気掃除機は、床面等の被掃除面上を移動自在な掃除機本体２と、吸込み風路体３とを備えている。掃除機本体２には電動送風機４が内蔵されている。吸込み風路体３は、可撓性ホース部５ａを有した吸塵ホース５と、この吸塵ホース５の先端部５ｂに着脱可能に接続された延長管６と、この延長管６の先端部に着脱可能に接続された吸込み口体7とを備えている。吸塵ホース５の先端部５ｂには、電動送風機４等に対する運転の指令をする操作パネル８ａが設けられたハンドル８が形成されている。延長管６は例えば伸縮可能である。
【００１６】
吸込み風路体３は、吸塵ホース５の連結端部５ｃを掃除機本体２に着脱可能に接続して、電動送風機４の上流側にこの電動送風機４の吸込み口４ａと連通して設けられている。電動送風機４の上流側のうちで例えば吸塵ホース５の先端部５ｂには、吸込んだ空気と塵とを分離して、分離された塵をためる集塵部９が設けられている。
【００１７】
集塵部９には例えばサイクロン式などの慣性分離によって塵分離をするものが使用されており、その塵を溜めるケース部分９ａは塵捨てのために着脱可能である。なお、電動送風機４の上流側に設けられる集塵部９は、集塵袋や袋状ではないフィルターが設けられた掃除機本体２の集塵室等で形成することもできる。
【００１８】
図１に示した電気掃除機１は、そのハンドル８を握り、電動送風機４を駆動した上で、延長管６を介して吸込み口体７を床面などの被掃除面に沿って移動させることにより真空吸引式の掃除ができる。この場合、吸込み口体７から吸い込まれた含塵空気中の塵は、集塵部９で空気と分離されてこの集塵部９のケース部分９ａに溜められる。その一方で、塵から分離された空気は、吸塵ホース５を通って掃除機本体２内の電動送風機４に吸い込まれてから、掃除機本体２の外部に排出される。
【００１９】
図２〜図１２を参照して吸込み口体７を説明する。吸込み口体７は、吸込み口本体１１と、この吸込み口本体１１より小型な吸込みノズル１２と、この吸込みノズル１２を吸込み口本体１１に着脱自在に装着する着脱手段１３と、回転清掃体１４と、この回転清掃体１４を駆動する電動機１５とを備えている。
【００２０】
図２〜図７に示すように吸込み口本体１１は、平面視略Ｔ字状の本体上ケース２１と本体下ケース２２とを連結してなる本体ケースを有し、この本体ケースにバンパー２３と一対の車輪２４とを取付けている。本体ケースの前部は左右方向に長く形成され、この前部を取巻いてバンパー２３が設けられている。本体ケースの前部には、被掃除面に対向する下面に開放して吸込み口２５（図４参照）が設けられている。この吸込み口２５は吸込み口本体１１の幅方向に延びる長方形状をなしている。図２及び図３に示すように一対の車輪２４は、本体ケースの中央部に後向きに突出した後部の両側に配置されている。
【００２１】
本体ケースの後部には、その上方及び後方に開放する溝状のノズルセット部２６が設けられている。図６〜図８に示すようにノズルセット部２６は、本体下ケース２２のセット部ベース２７と、このセット部ベース２７を上方から覆ったセットプレート２８とを有している。
【００２２】
セット部ベース２７は、中央部にくぼみを有した底壁の幅方向一側に第１の内側壁２７ａ及び第１の外側壁２７ｂを一体に起立させ、前記底壁の幅方向他側に第２の内側壁２７ｃ及び第２の外側壁２７ｄを一体に起立させて、略コの字状をなしている。セットプレート２８は、幅方向両側の張り出し側縁部２８ａ、２８ｂ間を上方に開放する半円筒形状に曲げて形成されている。外側壁２７ｂ、２７ｄは車輪２４を支持している。
【００２３】
セットプレート２８は、一方の張り出し側縁部２８ａを第１の内側壁２７ａと第１の外側壁２７ｂとにわたって被せるとともに、他方の張り出し側縁部２８ｂを第２の内側壁２７ｃと第２の外側壁２７ｄとにわたって被せ、かつ、半円筒形状部分の外側面を前記底壁のくぼみに支持させた状態で、セット部ベース２７に連結されている。
【００２４】
本体上ケース２１と本体下ケース２２との間には、これらの内面に一体に設けた隔壁２９（図４及び図８に一方のみ図示）を互に合わせることによって、本体ケースの中央部に位置する筒状部２９ａ（図４及び図７参照）が形成されている。この筒状部２９ａの前部は、ベルマウス状に広がって開口されていて、本体上ケース２１と本体下ケース２２との間に形成された吸塵室を介して吸込み口２５に連通している。
【００２５】
筒状部２９ａの後端は開口されていて、この後端開口はセットプレート２８の半円筒形状部分の内側空間と対向し直接に連通している。筒状部２９ａの後端開口の縁部は段差を有しており、この縁部にはゴムやエラストマなどの弾性材料からなるシールリング３０が取付けられている。
【００２６】
図４に示すように吸込み口本体１１の前記吸塵室には回転清掃体１４が回転自在に収容されている。この回転清掃体１４を駆動する電動機１５も吸込み口本体１１に内蔵されている。この内蔵個所は、図４に示すように隔壁２９によって前記吸塵室から隔離された部分である。なお、図４中符号３１は電動機１５と回転清掃体１４の一端部とを連結したベルト伝動機構を示している。
【００２７】
図９及び図１０等に示すように吸込みノズル１２は、ノズルセット部２６に着脱自在な連結部４１と、この連結部４１に対して回動自在な接続管４５とを備えている。
【００２８】
連結部４１は、半円筒状をなす一対の連結部要素４１ａの開口同士を合わせて形成されている。連結部４１はセットプレート２８の半円筒形状部分にその上方から嵌合できる太さに形成されている。この連結部４１は、吸込みノズル１２が吸込み口本体１１に装着されて床面を掃除する状態で前後方向に真っ直ぐに延びる軸線Ｑを有した円筒状をなしており、その前後両端は夫々開口されている。これらの開口は、連結部４１の前後両端に夫々形成した内向きのフランジ４１ｂ、４１ｃで囲まれている。
【００２９】
前位置のフランジ４１ｂには前方へ突出する清掃部材例えばブラシ毛４２が、連結部４１の周方向に連続するように所定間隔で設けられている。ブラシ毛４２に代えて軟質なブレード等を清掃部材として設けることもできる。連結部４１にはその周方向に略１８０°にわたって延びる接片通孔４３が開口されている。この接片通孔４３は着脱手段１３の受け部を兼ねるものである。なお、接片通孔４３と着脱手段１３の受け部とは別々に設けることもできる。
【００３０】
接続管４５は、連結部４１の内側に配置される直管状の回動管部４５ａと、この回動管部４５ａの後端から斜めに折れ曲がった接続管部４５ｂとを有している。回動管部４５ａは連結部４１より長く形成され、内側位置の回動管部４５ａと外側位置の連結部４１とは相対的に前記軸線Ｑ回りに回動可能であるとともに、軸線Ｑに沿って移動可能である。回動管部４５ａの先端開口は吸込みノズル１２の吸込み開口１２ａとして機能する。
【００３１】
回動管部４５ａの外周には環状をなす複数のリブ４６〜５０が一体に突設されている。リブ４６は連結部４１のフランジ４１ｂと対向し、リブ５０は連結部４１のフランジ４１ｃと対向している。回動管部４５ａの外周には、絶縁壁としても機能するリブ４７とリブ４８との間に位置してスリップリング５１が巻き付けられているとともに、絶縁壁としても機能するリブ４８とリブ４９との間に位置してスリップリング５２が巻き付けられている。更に、回動管部４５ａの外周にはリブ４９とリブ５０との間に位置してシール用のＯリング５３が取付けられている。Ｏリング５３の外周は連結部４１の内周面に摺動自在でかつ弾性的に密接して、この連結部４１と回動管部４５ａとの間の気密を図っている。
【００３２】
相対向したリブ４６と連結部４１のフランジ４１ｂとの間には、これらが相対的に離間する方向に連結部４１及び接続管４５を付勢する付勢体として、例えばコイルばね５４が挟み込まれている。吸込みノズル１２が吸込み口本体１１に装着された状態でコイルばね５４は、連結部４１に対して接続管４５により前方に押されて圧縮状態に保持される。この状態でのスリップリング５１，５２と接片通孔４３との相互関係は、図９（Ａ）に示され、接片通孔４３にスリップリング５１，５２が露出されるように規定されている。
【００３３】
又、吸込みノズル１２が吸込み口本体１１から外された状態でコイルばね５４は、自らの弾性力で伸張圧縮状態に復元し、この状態でのスリップリング５１，５２と接片通孔４３との相互関係は、図９（Ｂ）に示され、接片通孔４３がスリップリング５１，５２には実質的に対向せず連結部４１がスリップリング５１，５２を覆うように規定されている。
【００３４】
したがって、連結部４１は、スリップリング５１，５２を接片通孔４３に露出させる第１位置と、スリップリング５１，５２を覆う第２位置とにわたって移動可能であるとともに、コイルばね５４によって第２位置に向けて付勢されているものである。
【００３５】
連結部４１外に突出された接続管４５の接続管部４５ｂは、前記延長管６の先端部又は吸塵ホース５の先端部５ｂに着脱自在に嵌合して接続できる。この接続管部４５ｂの外周には、延長管６等との嵌合部のシールをするためのＯリング５５が取付けられている。接続管４５の外面には、その軸方向に延びた溝（図１０参照）に収納してリード線５６，５７が配線されている。これらのリード線５６，５７の前端部はスリップリング５１，５２に個別に接続され、リード線５６，５７の後端部には夫々端子ピン５８が接続されている。各端子ピン５８は、接続管部４５ｂの後端部に後向きに突設されていて、接続管部４５ｂが延長管６等に嵌合された際に、延長管６等に設けられている図示しないピン受け用の端子金具に差し込まれる。これにより、吸込み風路体３内の電気配線を介して掃除機本体２内の電源回路と電気的に接続される。図２、図９、及び図１０中符号５９は接続管４５の外周に装着されたリード線カバーを示している。
【００３６】
吸込みノズル１２を吸込み口本体１１のノズルセット部２６に装着する着脱手段１３は、図５及び図６等に示すように受け部と、ストッパ保持孔６１，６２、ストッパ７１とを備えている。
【００３７】
受け部は既述のように連結部４１に開口された接片通孔４３が兼ねている。なお，この受け部が接片通孔を兼ねない場合、段差又は溝等によって受け部を形成することもできる。ストッパ保持孔６１，６２は、吸込み口本体１１に設けられるものであって、具体的には図６〜図８に示すようにセットプレート２８の張り出し側縁部２８ａ，２８ｂに個別に開けられている。
【００３８】
図６〜図８に示すようにセットプレート２８の裏面には、前記第１の内側壁２７ａ及び第２の内側壁２７ｃと個別に対向してこれらと略平行に配置される裏側側壁２８ｃ，２８ｄが一体に突設されている。一方の裏側側壁２８ｃには、相対向する一対のリブ２８ｅが一体に突設されている。
【００３９】
相対向する第１の内側壁２７ａと一方の裏側側壁２８ｃとの間には、ストッパ７１の挿入を許す間隙Ｇ１が形成され、この間隙Ｇ１の上端にストッパ保持孔６１が連続して開口されている。相対向する第２の内側壁２７ｃと他方の裏側側壁２８ｄとの間には、ストッパ７１の挿入を許す間隙Ｇ２が形成され、この間隙Ｇ２の上端にストッパ保持孔６２が連続して開口されている。裏側側壁２８ｃ、２８ｄの上部は図６に示すように斜状をなしており、それにより間隙Ｇ１，Ｇ２はストッパ保持孔６１，６２から下方に遠ざかるほど狭くなっていて、これらの間隙Ｇ１，Ｇ２にストッパ７１の後述する挿入部が楔状に挿入されるようになっている。
【００４０】
図８等に示すように第１の内側壁２７ａの上部にはコ字状をなす一対の固定端子６３，６４が取付けられている。固定端子６３，６４の一片は、間隙Ｇ１内に配置されて、かつ、ストッパ保持孔６１の縁に連続して第１の内側壁２７ａに沿って上下方向に延びている。これら固定端子６３，６４のうちの一方は、それに接続されたリード線６５を介して電動機１５の一方の端子に電気的に接続され、他方固定端子もそれに接続されたリード線６６を介して電動機１５の他方の端子に電気的に接続されている。
【００４１】
ノズルセット部２６の間隙Ｇ１には、一対のリブ２８ｅによって移動を案内される端子カバー６７が上下動可能に収容されている。この端子カバー６７は間隙Ｇ１に収容されたカバー付勢体例えばコイルばね６８で上向きに付勢されている。端子カバー６７は、ストッパ保持孔６１から抜け出さない大きさに作られていて、第１の内側壁２７ａと裏側側壁２８ｃとを案内として移動される。ストッパ保持孔６１をその下側から閉じるように上昇された位置（カバー位置）に配置された端子カバー６７は、固定端子６３，６４をカバーする。又、ストッパ７１の後述する挿入部で押し下げられた位置（退避位置）に配置された端子カバー６７は、固定端子６３，６４をストッパ保持孔６１に対して露出させるようになっている。
【００４２】
図６、図１１、及び図１２等に示すようにストッパ７１は、例えば一対の挿入部７２,７３と、これら挿入部７２,７３の一端部を一体につないだ係止部７４とを備えて、略Ｕ字形状をなしている。挿入部７２,７３は平行であって、一方の挿入部７２はストッパ保持孔６１に挿脱自在であり、他方の挿入部７３は他方のストッパ保持孔６２に挿脱自在である。係止部７４には挿入部７２,７３と反対の向きに突出する摘み部７５が一体に設けられている。この摘み部７５及び係止部７４は、挿入部７２,７３をストッパ保持孔６１,６２に出し入れする際に、使用者の指で掴まれる部分である。
【００４３】
ストッパ７１は、ノズルセット部２６への取付け状態で吸込み口本体１１の上方への投影領域内に含まれるようにノズルセット部２６の幅寸法より小さく形成されている。ストッパ７１は、その挿入部７２,７３をノズルセット部２６の上方からストッパ保持孔６１,６２に夫々手作業で挿入することにより、セットプレート２８の半円筒状部分に跨って取付けられる。この取付け状態で係止部７４が図５及び図６に示すように接片通孔４３に挿入されて、この接片通孔４３の孔縁と係止部７４とが引っ掛かる。それによって、連結部４１がノズルセット部２６に装着される。
【００４４】
ストッパ７１には一対の導電板７６，７７が組込まれている。この組込みを可能とするために、図１１及び図１２に示すようにストッパ７１は、一対の同一の樹脂成形品からなるストッパケース７１ａ同士を、それらの開口を合わせた状態に組立てて形成されている。互に離間した導電板７６，７７は挿入部７２,７３及び係止部７４に沿って連続して設けられている。
【００４５】
導電板７６，７７の両端部には夫々摺動端子７８が切り起こされている。これらの摺動端子７８は、ストッパケース７１ａ，７１ｂに設けたスリット７１ｃを通って挿入部７２,７３間に突出されている。これらの摺動端子７８は、ノズルセット部２６へのストッパ７１の挿脱に伴って前記一対のスリップリング５１，５２に個別に接離されるものであって、その接触状態では図６に示すように弾性変形を伴って密接状態を維持するようになっている。
【００４６】
導電板７６，７７の一端部は、間隙Ｇ１に挿脱される挿入部７２の先端に設けたスリット７１ｄを通って外部に配置された可動端子７９,８０として用いられている。図１１（Ａ）に示すように一対の可動端子７９,８０は、挿入部７２の先端面からこの挿入部７２の側面に沿って折り曲げられている。ストッパ７１の着脱に伴って、一方の可動端子７９は前記固定端子６３に接離し、他方の可動端子８０は前記固定端子６４に接離されるものである。したがって、ノズルセット部２６にストッパ７１を挿入して吸込みノズル１２を固定することによって、互に電気的に接続された一方の導電板７６、スリップリング５１、リード線５６を介して、一方の端子ピン５８と一方の固定端子６３とが電気的に接続されるとともに、互に電気的に接続された他方の導電板７７、スリップリング５２、リード線５７を介して、他方の端子ピン５８と他方の固定端子６４とが電気的に接続されて、電動機１５への通電が可能となる。
【００４７】
吸込み口本体１１に吸込みノズル１２を装着する手順は次の通りである。
【００４８】
まず、吸込みノズル１２の連結部４１をノズルセット部２６にセットする。この場合、連結部４１の接片通孔４３を上向きにした姿勢で、この連結部４１をセットプレート２８の半円筒状部分に対して上方から嵌めた後、前記半円筒状部分をガイドとして吸込みノズル１２を前側に押し込む。若しくは、以上の手順に代えて、初めから吸込み口本体１１の後方から前記半円筒状部分をガイドとして吸込みノズル１２を前側に押し込む。それにより、連結部４１のフランジ４１ｂを吸込み口本体１１の筒状部２９ａの後端に連続させてシールリング３０に密接させる。
【００４９】
次に、連結部４１に対して接続管４５をコイルばね５４に抗して前方に押し込んで、一対のスリップリング５１，５２を接片通孔４３の直下に対向する露出状態とする。そして、この状態を保持したままで、ストッパ７１の挿入部７２，７３をストッパ保持孔６１，６２に上方から手で挿入して、ストッパ７１をノズルセット部２６に取付ける。この取付けによって、ストッパ７１がノズルセット部２６に両端支持されるとともに、このストッパ７１の係止部７４が接片通孔４３に挿入されて引っ掛かるので、ストッパ７１を介して吸込みノズル１２がノズルセット部２６に装着される。この装着状態を図５及び図６等で示す。
【００５０】
この場合、係止部７４の前面に回動管部４５ａのリブ４７が引っ掛かるので、コイルばね５４は圧縮状態に保持され、連結部４１に対して接続管４５が後方に押戻されることはない。
【００５１】
これにより、吸込み口本体１１に装着された連結部４１に対して接続管４５が前後方向に移動されることがない。したがって、掃除の際において押引きされる接続管４５に対して吸込み口本体１１が前後方向に遊ぶ不都合がなく、押引き操作ができる。更に、リブ４７を介して係止部７４が押されるので、この係止部７４と接片通孔４３との引っ掛かりにもがたつきがなくなり、ストッパ７１が不用意に抜けることも抑制できる。
【００５２】
又、以上の装着状態では、連結部４１がストッパ７１によって回動を妨げられているので、接続管４５は連結部４１の軸線Ｑ回りに回動できる。この回動により、掃除作業上において接続管４５の接続管部４５ｂが家具などと干渉を回避することが可能である。
【００５３】
前記装着状態では、係止部７４が接片通孔４３に挿入されることによって、ストッパ７１の摺動端子７８が連結部４１の内側に入り込み、これらの摺動端子７８が弾性変形を伴って対応するスリップリング５１，５２に接触する。又、前記装着においては、ストッパ保持孔６１に挿入されたストッパ７１の一方の挿入部７２が、端子カバー６７をコイルばね６８に抗して押し下げるので、固定端子６３,６４が露出されるとともに、ストッパ７１の可動端子７９,８０が夫々対応する固定端子６３,６４に夫々密に接触され、吸込み口本体１１に内蔵の電動機１５への通電が可能となる。
【００５４】
したがって、ハンドル８の操作パネル８ａで電動機１５への通電をする操作をすることにより、ベルト伝動機構３１を介して電動機１５の回転を回転清掃体１４に伝達して、この回転清掃体１４を回転させて掃除をすることができる。なお、接続管４５は略１８０°近く軸線Ｑ回りに回動するが、スリップリング５１，５２が環状であることにより、これらスリップリング５１，５２と摺動端子７８との接触は維持される。
【００５５】
掃除中に吸込みノズル１２を吸込み口本体１１から離脱させるには、まず、ストッパ７１を上方から手で掴んで上方へ引き抜く。これにより、退避位置に配置されていた端子カバー６７が、コイルばね６８のばね力で押し上げられてカバー位置に配置されて、この端子カバー６７で固定端子６３,６４が覆われるとともにストッパ保持孔６１が塞がれる。したがって、固定端子６３,６４が外部に露出しないようにできる点で好ましい。
【００５６】
更に、ストッパ７１が外されたことにより、吸込み口本体１１に対する吸込みノズル１２の拘束が解放される。この状態で吸込みノズル１２を後方に少し引いてから上方に移動させることにより、吸込みノズル１２をノズルセット部２６から外すことができる。このため、吸込みノズル１２の先端の吸込み開口１２ａから吸塵できるので、吸込み口本体１１の幅よりも狭い場所を掃除することができる。
【００５７】
この場合、外された吸込みノズル１２の状態は図９（Ｂ）に示されており、前記取り外しに伴いコイルばね５４のばね力で、回動管部４５ａの先端部がブラシ毛４２の内側から外れるように、連結部４１と接続管４５とが軸線Ｑ方向に沿って相対移動される。したがって、ブラシ毛４２の変形が回動管部４５ａの先端部に妨げられることなく、このブラシ毛４２で掻き出した被掃除面の塵を接続管４５に吸込ませて、狭い場所を掃除できる。
【００５８】
以上のように掃除場所の広さに応じた吸込みの形態で掃除ができる吸込み口体７での吸込み口本体１１に対する吸込みノズル１２の着脱操作は、ストッパ７１を、手作業で連結部４１の係方向に移動させて、吸込み口本体１１のストッパ保持孔６１,６２に挿脱することにより行うので、吸込み口体７が誤って足で踏まれる恐れがない。この場合、特に、ストッパ７１を引き外すことで吸込みノズル１２が吸込み口本体１１から分離可能となる上、ストッパ７１が、吸込み口本体１１の上方から挿脱され，挿着状態では吸込み口本体１１の投影領域内に設けられる。したがって、足でストッパ７１が操作される恐れがない。このため、足で踏まれることを考慮して吸込み口体７の強度を高める必要がないので、吸込み口体７のコストダウンが可能である。
【００５９】
しかも、吸込み口本体１１に吸込みノズル１２を着脱自在に保持する着脱手段１３の受け部をなす接片通孔４３は、連結部４１に形成され、ストッパ保持孔６１，６２はノズルセット部２６に形成されているので、着脱手段１３として必要な部品は実質的にはストッパ７１のみであり、所定の動きをするための支点となる部品を要しない。加えて、ストッパ７１は既述のように手で挿脱されるので、所定の位置に戻すためのばね部品等も要しない。このように着脱手段１３の部品数がきわめて少なく、着脱手段１３を吸込み口本体１１に組付ける手間も要しないという点で好ましく、それに伴いコストも低減できる。
【００６０】
又、既述のようにストッパ７１をノズルセット部２６に差し込んで、吸込みノズル１２を吸込み口本体１１に固定するに伴って、回転清掃体１４を駆動する電動機１５への通電を可能とする通電経路が形成される。このため、吸込みノズル１２が吸込み口本体１１に装着された状態でのみ回転清掃体１４を駆動でき、吸込みノズル１２が吸込み口本体１１に装着不良の状態では電動機１５への通電ができないので、この点で安全上好ましい。
【００６１】
更に、吸込み口本体１１から吸込みノズル１２を外すことに伴って、吸込みノズル１２の充電部であるスリップリング５２,５３が、コイルばね５４の付勢力で自動的に移動される合成樹脂製の連結部４１で、図９（Ｂ）に示したように覆われて、外部に実質的に露出することがない。このため、連結部４１を掴んで吸込みノズル１２を操作することがあっても、感電の恐れがないとともに、スリップリング５２,５３の汚れを防止できるので、摺動端子７８とスリップリング５２,５３との間での通電不良を招来しないという点でも好ましい。
【図面の簡単な説明】
【００６２】
【図１】本発明の一実施形態に係る吸込み口体を備えた電気掃除機を示す斜視図。
【図２】一実施形態に係る吸込み口体を示す平面図。
【図３】一実施形態に係る吸込み口体を示す後面図。
【図４】一実施形態に係る吸込み口体を一部切り欠いて示す平面図。
【図５】一実施形態に係る吸込み口体を一部切り欠いて示す側面図。
【図６】図５中Ｆ６−Ｆ６線に沿って示す吸込み口体の断面図。
【図７】一実施形態に係る吸込み口体のノズルセット部まわりを示す斜視図。
【図８】一実施形態に係る吸込み口体のノズルセット部まわりを分解して示す斜視図。
【図９】（Ａ）（Ｂ）は一実施形態に係る吸込み口体が備える吸込みノズルを夫々異なる状態で示す断面図。
【図１０】一実施形態に係る吸込み口体の吸込みノズルを分解して示す斜視図。
【図１１】（Ａ）（Ｂ）は一実施形態に係る吸込み口体が備えるストッパを夫々異なる方向から見て示した斜視図。
【図１２】図１１のストッパを分解して示す斜視図。
【符号の説明】
【００６３】
１…電気掃除機、２…掃除機本体、４…電動送風機、７…吸込み口体、９…集塵部、１１…吸込み口本体、１２…吸込みノズル、１３…着脱手段、１４…回転清掃体、１５…電動機、２５…吸込み口、２６…ノズルセット部、４１…連結部、Ｑ…連結部の軸線、４２…ブラシ毛（清掃部材）、４３…接片通孔（受け部）、４５…接続管、４５ａ…回動管部、４５ｂ…接続管部、５１,５２…スリップリング、５４…コイルばね（付勢体）、６１，６２…ストッパ保持孔、６３，６４…固定端子、６７…端子カバー、６８…コイルばね（カバー付勢体）、７１…ストッパ、７２，７３…挿入部、７４…係止部、７５…摘み部、７８…摺動端子、７９，８９…可動端子
【図１】
2005348940.tif 000003
【図２】
2005348940.tif 000004
【図３】
2005348940.tif 000005
【図４】
2005348940.tif 000006
【図５】
2005348940.tif 000007
【図６】
2005348940.tif 000008
【図７】
2005348940.tif 000009
【図８】
2005348940.tif 000010
【図９】
2005348940.tif 000011
【図１０】
2005348940.tif 000012
【図１１】
2005348940.tif 000013
【図１２】
2005348940.tif 000014